(57)【特許請求の範囲】
【請求項１】
送信回路ブロックと、受信回路ブロックと、前記送信回路ブロックから出力される送信信号を送信し、且つ、前記受信回路ブロックに入力される受信信号を受信するためのアンテナが接続されるアンテナ端子部材と、該アンテナ端子部材に接続されるアンテナ共用器と、前記送信回路ブロックと前記受信回路ブロックとに接続される端子を有する第１，第２のコネクタと、該第１，第２のコネクタの前記端子が接続される配線パターンを有するプリント配線基板と、該プリント配線基板を保持するフレームとを備え、前記アンテナ端子部材が前記プリント配線基板の一方の面の側端部に配置されると共に、前記第１，第２のコネクタの一方は、前記プリント配線基板の一方の面に、また、前記第１，第２のコネクタの他方は、前記プリント配線基板の他方の面に配置され、前記第１，第２のコネクタの何れか一方がマザーボードに設けられたコネクタに接続可能としたことを特徴とする携帯電話機用送受信ユニット。
【請求項２】
前記第１，第２のコネクタは、前記プリント配線基板の両面のそれぞれ対向する位置に配置され、それぞれの前記第１，第２のコネクタの前記端子が接続されるそれぞれの前記配線パターンが相互に導通されたことを特徴とする請求項１記載の携帯電話機用送受信ユニット。
【請求項３】
前記端子を接続するそれぞれの前記配線パターンの相互の導通がスルーホールによって接続されていることを特徴とする請求項２記載の携帯電話機用送受信ユニット。
【発明の詳細な説明】
【０００１】
【発明の属する技術分野】
本発明は、携帯電話機用送受信ユニットに関し、特に、右アンテナ型携帯電話機と左アンテナ型携帯電話機とのいずれにも適用出来る携帯電話機用送受信ユニットに関する。
【０００２】
【従来の技術】
従来の携帯電話機用送受信ユニットが使用された右アンテナ型携帯電話機について図面を用いて説明する。
図５は、従来の携帯電話機用送受信ユニットを適用した右アンテナ型携帯電話機を示す断面図、図６は、従来の携帯電話機用送受信ユニットを適用した右アンテナ型携帯電話機を示す要部平面図、図７は、従来の携帯電話機用送受信ユニットを示す分解斜視図、図８は、従来の携帯電話機用送受信ユニットを示す断面図である。
【０００３】
図５〜図８に示すように、ケース２１は、合成樹脂材料から成り、成形加工されて、略箱形であって、四方を囲む側壁２１ａと、側壁２１ａの上・下端部を塞ぐ表面壁２１ｂ、裏面壁２１ｃとを備えている。
【０００４】
マザーボード２２は、絶縁樹脂材料から成り、平板状であって、例えば、電話番号などを記憶するための記憶素子や各種の演算をするための演算素子などの電子部品（図示せず）と、複数個の端子を有する雄型コネクタ２２ａとが載置されている。そして、このマザーボード２２は、ケース２１内であって、裏面壁２１ｃに近接した状態で配置され、適宜手段にてケース２１内に取り付けられている。
【０００５】
アンテナ２４は、例えば、磁性材料から成り、略円柱状であって、例えば、音声信号を送信、及び受信するためのものであり、外方に引き出すことの出来る棒状のアンテナ部２４ａと、アンテナ部２４ａの先端部に配設された摘み部２４ｂと、アンテナ部２４ａを収納するための円筒状の筒部２４ｃとを有している。
アンテナ２４のアンテナ部２４ａの摘み部２４ｂは、ケース２１の右側に外方に突出した状態で配設され、アンテナ部２４ａを収納する筒部２４ｃは、ケース２１の内方であって、右側の側壁２１ａの近傍に配設されている。
【０００６】
また、携帯電話機用送受信ユニット２５は、平板状のプリント配線基板２６と、プリント配線基板２６を保持する略箱形のフレーム２７とを有している。
また、プリント配線基板２６は、第１の面（例えば、表面）に、例えば、水晶振動子やコイルなどの電気部品２６ａと、アンテナ２１と接続され、右側の側端部に形成されたアンテナ端子部材２６ｂと、アンテナ端子部材２６ｂに接続されたアンテナ共用器２６ｇと、所望の形状の配線パターン（図示せず）とを備え、第２の面（例えば、裏面）に、例えば、集積回路（ＬＳＩ）やチップ抵抗器やチップコンデンサなどの電気部品２６ｄと、複数本の端子（図示せず）を有する雌型コネクタ２６ｃと、所望の形状の配線パターン（図示せず）とを備えている。
【０００７】
そして、これらの各電気部品２６ａ、２６ｄと配線パターン（図示せず）とによって、音声などの信号をアンテナ２４から送信するための送信信号をアンテナ２４に出力する送信回路ブロック（図示せず）と、アンテナ２４からの受信信号が入力され、音声信号として出力する受信回路ブロック（図示せず）とが構成されている。また、この送信回路ブロックと受信回路ブロックとは、アンテナ共用器２６ｇに接続されている。また、このプリント配線基板２６の右側の側端部に形成されたアンテナ端子部材２６ｂには、アンテナ２４の接続端子（図示せず）が、例えば半田などで接続されている。
【０００８】
また、フレーム２７は、平板状の金属材料から成り、切断・折り曲げ加工され、略箱形であって、四方を囲む側壁２７ａと、下面側を塞ぐ底壁２７ｂと、上面側が開放された収納部２７ｃとを有している。また、底壁２７ｂには、矩形の孔２７ｄが設けられている。
そして、フレーム２７の収納部２７ｃには、プリント配線基板２６が適宜手段によって取り付けられ、保持されている。この状態のとき、プリント配線基板２６は、底壁２７ｂに近接して配置され、底壁２７ｂの孔２７ｄに雌型コネクタ２６ｃが挿通されている。
【０００９】
このプリント配線基板２６とフレーム２７とを有する携帯電話機用送受信ユニット２５は、マザーボード２２上に配置されている。
そして、この状態のとき、マザーボード２２の雄型コネクタ２２ａとプリント配線基板２６の雌型コネクタ２６ｃとは、結合されて電気的に導通されている。
また、この状態のとき、アンテナ２４と携帯電話機用送受信ユニット２５とは、マザーボード２２上に隣合うように配置されている。
【００１０】
次に、従来の携帯電話機用送受信ユニットを適用した左アンテナ型携帯電話機について説明する。
この左アンテナ型携帯電話機は、アンテナがケースの左側に配置され、また、プリント配線基板のアンテナ端子部材は、プリント配線基板の左側端部に配置されている。そして、アンテナとアンテナ端子部材とは接続されている。
【００１１】
【発明が解決しようとする課題】
上述の如く、従来の携帯電話機用送受信ユニットを適用した右アンテナ型携帯電話機は、ケースの右側に取り付けられたアンテナと、携帯電話機用送受信ユニットのプリント配線基板の右側端部に配置されたアンテナ端子部材とが接続されると共に、プリント配線基板の第２の面（例えば、裏面）に配置された雌型コネクタと、マザーボードに配置された雄型コネクタとが接続されている。
しかしながら、携帯電話機は、上述の右アンテナ型携帯電話機とアンテナの配置が対称的な左アンテナ型携帯電話機とが共に普及している。そして、左アンテナ型携帯電話機に配置される携帯電話機用送受信ユニットは、アンテナが携帯電話機の左側に配置されていることから、携帯電話機用送受信ユニットのプリント配線基板のアンテナ端子部材は、プリント配線基板の左側端部に配置することが要求され、そのように設計が成される。
【００１２】
このように、従来の携帯電話機用送受信ユニットでは、左アンテナ型携帯電話機用のプリント配線基板のアンテナ端子部材は、左側端部に配置することが要求されるので、前述の携帯電話機用送受信ユニットは、右アンテナ型携帯電話機用と左アンテナ型携帯電話機用とにそれぞれ別個に設計が成される。
即ち、これは、左アンテナ型携帯電話機用の携帯電話機用送受信ユニットは、アンテナ端子部材が、携帯電話機用送受信ユニットの左側端部に配置された構成とするために前述の右アンテナ型携帯電話機用の携帯電話機用送受信ユニットは、そのままの構成では用いることが出来ないためである。
【００１３】
よって、右アンテナ型携帯電話機用の携帯電話機用送受信ユニットと左アンテナ型携帯電話機用の携帯電話機用送受信ユニットとは、それぞれ別個の送受信ユニットとして、別に設計することが必要であり、設計工数が増加するという問題がある。
【００１４】
そこで、本発明の携帯電話機用送受信ユニットは、これらの問題点を解決するものであり、その目的は、右・左アンテナ型携帯電話機のいづれにも兼用して用いることの出来る携帯電話機用送受信ユニットを提供することである。
【００１５】
【課題を解決するための手段】
本発明の携帯電話機用送受信ユニットは、送信回路ブロックと、受信回路ブロックと、前記送信回路ブロックから出力される送信信号を送信し、且つ、前記受信回路ブロックに入力される受信信号を受信するためのアンテナが接続されるアンテナ端子部材と、該アンテナ端子部材に接続されるアンテナ共用器と、前記送信回路ブロックと前記受信回路ブロックとに接続される端子を有する第１，第２のコネクタと、該第１，第２のコネクタの前記端子が接続される配線パターンを有するプリント配線基板と、該プリント配線基板を保持するフレームとを備え、前記アンテナ端子部材が前記プリント配線基板の一方の面の側端部に配置されると共に、前記第１，第２のコネクタの一方は、前記プリント配線基板の一方の面に、また、前記第１，第２のコネクタの他方は、前記プリント配線基板の他方の面に配置され、前記第１，第２のコネクタの何れか一方がマザーボードに設けられたコネクタに接続可能としたことである。
【００１６】
また、発明の携帯電話機用送受信ユニットは、前記第１，第２のコネクタは、前記プリント配線基板の両面のそれぞれ対向する位置に配置され、それぞれの前記第１，第２のコネクタの前記端子が接続されるそれぞれの前記配線パターンが相互に導通されたことである。
【００１７】
また、発明の携帯電話機用送受信ユニットは、前記端子を接続するそれぞれの前記配線パターンの相互の導通がスルーホールによって接続されていることである。
【００１８】
【発明の実施の形態】
以下、本発明の携帯電話機用送受信ユニットを適用した右アンテナ型携帯電話機について図面を用いて説明する。
図１は、本発明の携帯電話機用送受信ユニットを適用した右アンテナ型携帯電話機を示す断面図、図２は、本発明の携帯電話機用送受信ユニットを適用した右アンテナ型携帯電話機を示す要部平面図、図３は、本発明の携帯電話機用送受信ユニットを示す分解斜視図、図４は、本発明の携帯電話機用送受信ユニットを示す断面図である。
図１〜図４に示すように、ケース１は、合成樹脂材料から成り、成形加工されて、略箱形であって、四方を囲む側壁１ａと、側壁１ａの上・下端部を塞ぐ表面壁１ｂ、裏面壁１ｃとを備えている。
【００１９】
マザーボード２は、絶縁樹脂材料から成り、平板状であって、例えば、電話番号などを記憶するための記憶素子や各種の演算をするための演算素子などの電子部品（図示せず）と、複数個の端子（図示せず）を有する雄型コネクタ２ａが載置され、また、電子部品や雄型コネクタ２ａの端子が半田付けされる所定の形状の配線パターン（図示せず）が設けられている。そして、このマザーボード２は、ケース１内であって、裏面壁１ｃに近接した状態で配置され、適宜手段にてケース１内に取り付けられている。このとき、マザーボード２の雄型コネクタ２ａは、マザーボード２の上面側に配置されている。
【００２０】
アンテナ４は、例えば、磁性材料から成り、略円柱状であって、例えば、音声信号を送信、及び受信するためのものであり、外方に引き出すことの出来る棒状のアンテナ部４ａと、アンテナ部４ａの先端部に配設された摘み部４ｂと、アンテナ部４ａを収納するための円筒状の筒部４ｃとを有している。
アンテナ４のアンテナ部４ａの摘み部４ｂは、ケース１の右側に外方に突出した状態で配設され、アンテナ部４ａを収納する筒部４ｃは、ケース１の内方であって、右側の側壁２１ａの近傍に配設されている。
【００２１】
また、携帯電話機用送受信ユニット５は、平板状のプリント配線基板６と、プリント配線基板６を保持する略箱形のフレーム７とを有している。
また、プリント配線基板６は、第１の面（例えば、表側の面）に、例えば、水晶振動子やコイルなどの電気部品６ａと、アンテナ４と接続される右側の端部に形成されたアンテナ端子部材６ｂと、アンテナ端子部材６ｂに接続されたアンテナ共用器６ｇと、複数本の端子（図示せず）を有する第１の雌型コネクタ６ｃと、所望の形状の配線パターン（図示せず）とを備え、第２の面（例えば、裏側の面）に、例えば、集積回路（ＬＳＩ）やチップ抵抗器やチップコンデンサなどの電気部品６ｄと、複数本の端子（図示せず）を有する第２の雌型コネクタ６ｅと、所望の形状の配線パターン（図示せず）とを備えている。
【００２２】
また、第１の雌型コネクタ６ｃの端子と、第２の雌型コネクタ６ｅの端子とは、それぞれ配線パターンに半田付けされている。
また、プリント配線基板６には、第１の面の配線パターンと第２の面の配線パターンとを接続する複数個のスルーホール６ｆが形成されている。
【００２３】
そして、この第１の面の第１の雌型コネクタ６ｃと、第２の面の第２の雌型コネクタ６ｅとは、プリント配線基板６を挟んで対向する位置に配置されている。そして、第１の雌型コネクタ６ｃの端子が接続された配線パターンと、第２の雌型コネクタ６ｅの端子が接続された配線パターンとは、それぞれスルーホール６ｆによって接続されている。
即ち、第１の雌型コネクタ６ｃと第２の雌型コネクタ６ｅとは、接続されている。
【００２４】
そして、これらの電気部品６ａ、６ｄと配線パターン（図示せず）とによって、音声などの信号をアンテナ４から送信するための送信信号をアンテナ４に出力する送信回路ブロック（図示せず）と、アンテナ４からの受信信号が入力され、音声信号として出力する受信回路ブロック（図示せず）とが構成されている。また、この送信回路ブロックと受信回路ブロックとは、アンテナ共用器６ｇに接続され、このアンテナ共用器６ｇにて受信信号と送信信号とが分離されている。また、このプリント配線基板６のプリント端子部材６ｂには、アンテナ４の接続端子（図示せず）が、例えば半田などで接続されている。
【００２５】
また、フレーム７は、平板状の金属材料から成り、切断・折り曲げ加工され、略箱形であって、四方を囲む側壁７ａと、下面側を塞ぐ底壁７ｂと、上面側が開放された収納部７ｃとを有している。また、底壁７ｂには、矩形の孔７ｄが設けられている。
そして、フレーム７の収納部７ｃには、プリント配線基板６が適宜手段によって取り付けられ、保持されている。この状態のとき、プリント配線基板６は、底壁７ｂに近接して配置され、底壁７ｂの孔７ｄに第２の雌型コネクタ６ｅが挿通されている。
【００２６】
このプリント配線基板６とフレーム７とを有する携帯電話機用送受信ユニット５は、マザーボード２上に配置されている。
そして、この状態のとき、マザーボード２の雄型コネクタ２ａとプリント配線基板６の第２の雌型コネクタ６ｅとは、結合されて電気的に導通されている。
また、この状態のとき、アンテナ４と携帯電話機用送受信ユニット５とは、マザーボード２上に隣合うように配置されている。
【００２７】
次に、本発明の携帯電話機用送受信ユニットを適用した左アンテナ型携帯電話機について説明する。
この左アンテナ型携帯電話機は、図示していないが、アンテナがケースの左側の側壁の近傍に配置されており、ケース内に配置された本発明の携帯電話機用送受信ユニットは、前記携帯電話機用送受信ユニットを構成する前記プリント配線基板の第１の面（即ち、アンテナ共用器の配置された面）を裏面の側に配置した状態で、プリント配線基板がフレーム内に収納されている。
【００２８】
そして、この携帯電話機用送受信ユニットは、マザーボード上に載置され、このとき、前記携帯電話機用送受信ユニットを構成する前記プリント配線基板の第１の面に配置された第１の雌型コネクタと、マザーボード上に配置された雄型コネクタとが接続されている。
【００２９】
即ち、本発明の実施の形態の携帯電話機用送受信ユニットは、携帯電話機用送受信ユニットを構成する前記プリント配線基板の表裏両面を入れ換えることによって、右アンテナ型携帯電話機と左アンテナ型携帯電話機とのいずれにも適用出来る携帯電話機用送受信ユニットである。
【００３０】
なお、上述の実施の形態では、携帯電話機用送受信ユニットを構成する前記プリント配線基板の表裏両面のそれぞれに第１と第２の雌型コネクタを設けたが、これに限定されずマザーボードと対向する裏面側にだけ、換言すれば、マザーボードの雄型コネクタと接続されるプリント配線基板の面側のみに雌型コネクタを設けても良い。
また、プリント配線基板には、雌型コネクタを設けた実施例を述べたが、これに限定されずマザーボードに設けたコネクタと接続出来るコネクタであればよい。
【００３１】
なお、上述の実施の形態では、携帯電話機用送受信ユニットを構成するプリント配線基板の第１の面（表面）の右端部に、アンテナ端子部材を設けたが、これに限定されず第１の面の左端部に、アンテナ端子部材を設けても良い。
【００３２】
【発明の効果】
以上のように、本発明の携帯電話機用送受信ユニットは、アンテナ端子部材がプリント配線基板の一方の側端部に配置され、且つ、コネクタがプリント配線基板の両面のそれぞれ対向する位置のいずれにでも配置出来るように形成されていることから、この携帯電話機用送受信ユニットが載置されるマザーボードに設けられたコネクタとプリント配線基板のコネクタとを接続するとき、プリント配線基板の第１、及び第２（表裏）のいづれの面を上側に向けても、マザーボードのコネクタとプリント配線基板のコネクタとを接続出来、かつ、このときアンテナ端子部材は、右側、又は左側のいずれか一方の側端部に配置されていることから、このアンテナ端子部材と、該アンテナ端子部材の近傍に配置された右、又は左アンテナと容易に接続できる。
【００３３】
このことから、本発明の携帯電話機用送受信ユニットは、右アンテナ型携帯電話機と左アンテナ型携帯電話機とのいずれにも適用出来る携帯電話機用送受信ユニットであり、兼用出来るので携帯電話機用送受信ユニットの設計工数を削減できるという効果を奏する。
【図面の簡単な説明】
【図１】本発明のの携帯電話機用送受信ユニットを適用した右アンテナ型携帯電話機を示す断面図である。
【図２】本発明の携帯電話機用送受信ユニットを適用した右アンテナ型携帯電話機を示す要部平面図である。
【図３】本発明の本発明の携帯電話機用送受信ユニットを示す分解斜視図である。
【図４】本発明の携帯電話機用送受信ユニットを示す断面図である。
【図５】従来の携帯電話機用送受信ユニットを適用した右アンテナ型携帯電話機を示す断面図である。
【図６】従来の携帯電話機用送受信ユニットを適用した右アンテナ型携帯電話機を示す要部平面図である。
【図７】従来の携帯電話機用送受信ユニットを示す分解斜視図である。
【図８】従来の携帯電話機用送受信ユニットを示す断面図である。
【符号の説明】
１  ケース
１ａ  側壁
２  マザーボード
２ａ  雄型コネクタ（コネクタ）
４  アンテナ（アンテナ）
４ａ  アンテナ部
５  携帯電話機用送受信ユニット
６  プリント配線基板
６ａ、６ｄ  電気部品
６ｂ  アンテナ端子部材
６ｃ、６ｅ  雌型コネクタ（コネクタ）
６ｆ  スルーホール
６ｇ  アンテナ共用器
７  フレーム
７ｂ  底壁
７ｄ  孔
【図１】
0003570894.tif 000002
【図２】
0003570894.tif 000003
【図３】
0003570894.tif 000004
【図４】
0003570894.tif 000005
【図５】
0003570894.tif 000006
【図６】
0003570894.tif 000007
【図７】
0003570894.tif 000008
【図８】
0003570894.tif 000009